(57)【要約】【課題】腕時計の装着性をより良くし、腕時計の視認性の向上に寄与できるグローブを提供する。【解決手段】装着者のリスト部を締め付け可能な一対の帯状体２２Ａ、２２Ｂを設け、各帯状体２２Ａ、２２Ｂの表面に、腕時計５０のバンド部５２、５３を挿入可能なバンドホルダ２５Ａ、２５Ｂを設け、このバンドホルダ２５Ａ、２５Ｂに挿入したバンド部５２、５３と一体に帯状体２２Ａ、２２Ｂを装着者のリスト部に締め付け可能にした。【選択図】図１
2007217819.tif 000002
【特許請求の範囲】
【請求項１】
グローブ本体に装着者のリスト部を締め付け可能な一対の帯状体を設け、各帯状体の表面に腕時計のバンド部を保持可能な保持部を各々設け、各保持部に保持したバンド部と一体に前記一対の帯状体をリスト部に締め付け可能としたことを特徴とするグローブ。
【請求項２】
前記保持部が腕時計のバンド部を挿入可能な鞘部であることを特徴とする請求項１に記載のグローブ。
【請求項３】
前記鞘部の開口近傍に、時計部もしくはバンド部を補助的に保持する脱落防止手段を設けたことを特徴とする請求項２に記載のグローブ。
【請求項４】
前記鞘部は、伸縮性を有する布地で形成され、前記腕時計のバンド部の先端が通る開口を備えたことを特徴とする請求項２または３に記載のグローブ。
【請求項５】
前記グローブ本体に、装着時の前記帯状体に重なるように延びるフラップを設け、このフラップに前記帯状体との着脱手段を設けたことを特徴とする請求項１乃至４のいずれかに記載のグローブ。
【発明の詳細な説明】
【技術分野】
【０００１】
本発明は、腕時計を装着可能にしたグローブに関する。
【背景技術】
【０００２】
従来より、手首部分を覆うカフス部に鞘部を設け、この鞘部に腕時計のバンド部を差し入れることによって腕時計を装着可能にすると共に、カフス部にフラップ状のカバーを設け、このカバーで腕時計を覆い、カバーに設けた窓面を介して時刻を視認可能にしたスキーグローブが知られている（例えば、特許文献１参照）。
【特許文献１】登録実用新案第３０４７４７７号公報
【発明の開示】
【発明が解決しようとする課題】
【０００３】
しかし、従来のものは、手首部分を覆うカフス部の鞘部に腕時計のバンド部を差し入れる構成であるため、装着者の手首とグローブのカフス部との隙間に個人差が生じ、隙間が多いと腕時計がぶらつき手首との一体感が損なわれていた。また、腕時計の重みや外力等で腕時計がカフス部と共に動き、時計が見づらくなる場合があった。
本発明は、上述した事情を鑑みてなされたものであり、腕時計の装着性をより良くし、腕時計の視認性の向上に寄与できるグローブを提供することを目的とする。
【課題を解決するための手段】
【０００４】
上述課題を解決するため、本発明は、グローブにおいて、グローブ本体に装着者のリスト部を締め付け可能な一対の帯状体を設け、各帯状体の表面に腕時計のバンド部を保持可能な保持部を各々設け、各保持部に保持したバンド部と一体に前記一対の帯状体をリスト部に締め付け可能としたことを特徴とする。この場合、前記保持部が腕時計のバンド部を挿入可能な鞘部であってもよい。
これらの発明によれば、グローブ本体に装着者のリスト部を締め付け可能な一対の帯状体の表面に腕時計のバンド部を保持可能な保持部を各々設け、各保持部に保持したバンド部と一体に前記一対の帯状体をリスト部に締め付け可能としたので、グローブ及び腕時計が装着者のリスト部を締め付けた状態で一体に装着され、腕時計の手首への装着性が向上する。この場合、腕時計のずれが防止されるので、腕時計の視認性の向上に寄与することができる。また、保持部を腕時計のバンド部を挿入可能な鞘部としたので、バンド部が鞘部内に保持されて腕時計の保持力が向上する。
【０００５】
この場合において、前記鞘部の開口近傍に、時計部もしくはバンド部を補助的に保持する脱落防止手段を設けることが好ましい。
この構成によれば、脱落防止手段が腕時計のバンド部又は時計部を補助的に保持するので、腕時計のずれをより防止し、脱落を防ぐことができる。
【０００６】
また、この場合において、前記鞘部は、伸縮性を有する布地で形成され、前記腕時計のバンド部の先端が通る開口を備えることが好ましい。
この構成によれば、鞘部に腕時計のバンド部を挿入する際に、バンド部の形状に合わせて布地が伸縮すると共に、長いバンド部も挿入することができるので、様々なバンド部を備えた腕時計を装着することができる。
【０００７】
また、この場合において、グローブ本体に、装着時の前記帯状体に重なるように延びるフラップを設け、このフラップに前記帯状体との着脱手段を設けることが好ましい。
この構成によれば、グローブ本体から帯状体に重なるように延びるフラップが、装着者のリスト部を締め付けた帯状体に装着されるので、一対の帯状体の外れを防止してグローブ及び腕時計の保持性をより向上させることができると共に、リスト部の露出を少なくしてリスト部を保護することができる。
【発明の効果】
【０００８】
本発明では、グローブ本体に装着者のリスト部を締め付け可能な一対の帯状体を設け、各帯状体の表面に腕時計のバンド部を保持可能な保持部を各々設け、各保持部に保持したバンド部と一体に前記一対の帯状体をリスト部に締め付け可能としたので、腕時計の手首への装着性が向上し、腕時計の視認性の向上に寄与することができる。
また、保持部を腕時計のバンド部を挿入可能な鞘部としたので、バンド部が鞘部内に保持されて腕時計の保持力が向上する。
また、鞘部の開口近傍に、時計部もしくはバンド部を補助的に保持する脱落防止手段を設けたので、腕時計のずれをより防止し、脱落を防ぐことができる。
また、鞘部は、伸縮性を有する布地で形成され、腕時計のバンド部の先端が通る開口を備えたので、様々なバンド部を備えた腕時計を装着できる。
また、グローブ本体に、装着時の前記帯状体に重なるように延びるフラップを設け、このフラップに帯状体との着脱手段を設けたので、グローブ及び腕時計の保持性をより向上させ、かつ、リスト部を保護することができる。
【発明を実施するための最良の形態】
【０００９】
以下、図面を参照して本発明の実施形態を説明する。
図１は、本実施形態に係るグローブを腕時計と共に示す図である。このグローブ１０は、自動二輪車の乗員用に適したライダー用グローブである。また、腕時計５０は一般的な腕時計であり、時刻を表示する時計部５１と、この時計部５１から延在する一対のバンド部５２、５３とを有している。
【００１０】
上記グローブ１０は、複数種類の機能性素材を縫製して製作され、装着者の手を覆うグローブ本体１１と、このグローブ本体１１に一体に設けられる時計装着部２０とを備えている。
グローブ本体１１は、手の甲を覆う布地１２、１３及び１４が、通気性、伸縮性及び耐摩耗性に優れたメッシュ素材で形成され、掌を覆う布地１５が、耐摩耗性及び滑り止め性に優れた合成皮革素材で形成されている。また、各指先や親指のマチ部分の布地１６、１７には、耐衝撃性や滑り止め性に優れた合成皮革素材が使用され、さらに、甲側には、指の関節を保護するナックルガード１８が内蔵されている。なお、このグローブ１０の材質は上記素材に限定されず、天然皮革等の他の素材を適用してもよい。
【００１１】
このグローブ本体１１の甲部下方には、時計装着部２０の一部を構成する伸縮性及び柔軟性に優れた布地２１が縫合されている。この布地２１は、グローブ本体１１の甲部から下方に延在すると共に左右に延在し、装着者のリスト部に巻き付け可能な左右一対の帯状体２２Ａ、２２Ｂを備えている。
これら帯状体２２Ａ及び２２Ｂの表側には、各々伸縮性を有する布地２３Ａ及び２３Ｂが、バンド挿入口ＥＮと、このバンド挿入口ＥＮに連通するバンド出口（開口）ＥＸとを残すように縫合され、これによって、図２に示すように、腕時計５０のバンド部５２、５３を各々挿入可能な一対のバンドホルダ（保持部、鞘部）２５Ａ及び２５Ｂが形成されている。
【００１２】
これらバンドホルダ２５Ａ及び２５Ｂの表側には、面ファスナー（いわゆるマジックテープ（登録商標））３０が各々取り付けられ、帯状体２２Ａ及び２２Ｂの裏側には、上記面ファスナー３０と着脱自在な面ファスナー３１が各々取り付けられている。
この構成により、図３に示すように、これら帯状体２２Ａ及び２２Ｂを装着者のリスト部に巻き付けると、一方の帯状体２２Ａ又は２２Ｂの裏側の面ファスナー３１が、他方の帯状体２２Ｂ又は２２Ａの表側の面ファスナー３０に重なってくっつき、帯状体２２Ａ及び２２Ｂが、当該帯状体２２Ａ及び２２Ｂに挿入された腕時計５０のバンド部５２及び５３と一体にリスト部を締め付ける。従って、グローブ１０及び腕時計５０が装着者の腕に確実に保持される。
【００１３】
また、上記布地２１における帯状体２２Ａ及び２２Ｂの間には、図１に示すように、バンド挿入口ＥＮの近傍に２つのコード通し孔が各々形成されると共に、これら通し孔の外面には、上記コード通し孔に連通する２つの孔３５を有する一対の補強部材３６が配置され、これら補強部材３６を介してドローコード４０が通されている。この補強部材３６は、比較的硬い材料で形成され、これによってコード通し孔周辺の強度が補強され、布地２１の損傷が防止される。
【００１４】
ドローコード４０は、一本のコード４１と、このコード４１の留め位置を調整可能な留め具（本例ではプッシュ式コードロック）４２とからなり、図１に示すように、コード４１が、一方のバンド挿入口ＥＮ近傍の孔３５に輪っかを形成するように通されて布地２１の裏側を通り、他方のバンド挿入口ＥＮ近傍の孔３５を表側に通されてその両端が留め具４２に通されて配置されている。
この構成により、腕時計５０のバンド部５２、５３をコード４１によって形成される左右一対の輪っかに通した後にバンドホルダ２５Ａ、２５Ｂに挿通し、その後、バンド部５２、５３と布地２１とが密着するまでコード４１を締め付け、その状態が保持されるように留め具４２の位置を調整することにより、図２に示すように、このドローコード４０が腕時計５０のバンド部５２、５３を補助的に保持する。すなわち、ドローコード４０が腕時計５０のずれをより防止して脱落を防ぐ脱落防止手段として機能している。また、この方式によれば、別途カバー部材で腕時計５０を覆わなくてすむので、腕時計５０の視認性が向上する。
また、この場合、上記一対の補強部材２９が腕時計５０と布地２１との間に各々配置されるので、腕時計５０によって布地２１が損傷することを防止することができる。
【００１５】
本構成では、腕時計５０のバンド部５２、５３が樹脂製の場合を示している。この種の樹脂製のバンド部５２、５３は、図１に示すように、当該バンド部５２、５３を曲がりやすくするための溝５５を備えている。このため、樹脂バンドの場合には、図２に示すように、上記コード４１を締め付けると、コード４１がバンド部５２、５３の溝５５に嵌って腕時計５０の保持をより確実に行うことができ、腕時計５０のずれや脱落をより確実に防止することができる。
なお、樹脂バンドに限らず、要は凹凸を有するバンドであれば、コード４１がその凹凸に引っ掛かって腕時計５０のずれを防止して脱落をより確実に防止することが可能である。
【００１６】
また、本構成では、図１に示すように、グローブ本体１１の掌部から下方に延びるアンダーフラップ４５が設けられている。このアンダーフラップ４５は、伸縮性及び及び耐衝撃性に優れた素材で形成され、内側の面に、帯状体２２Ａ、２２Ｂの表側の面ファスナー３０と着脱可能な面ファスナー４６が設けられている。
この構成により、図３に示すように、帯状体２２Ａ及び２２Ｂによりリスト部を締め付け保持した後、その上からアンダーフラップ４５を覆い被せることにより、アンダーフラップ４５が帯状体２２Ａ、２２Ｂにくっつき、一対の帯状体２２Ａ、２２Ｂの外れを防止すると共に、装着者のリスト部の露出を少なくしてリスト部の保護を図ることができる。
また、アンダーフラップ４５によりグローブ本体１１を装着者のリスト部側に若干引っ張った状態に保持できるので、グローブ１０と装着者の手との密着性を向上させることもでき、装着時の快適性が向上する。
【００１７】
以上説明したように、本実施形態に係るグローブ１０によれば、装着者のリスト部を締め付け可能な一対の帯状体２２Ａ、２２Ｂを設けると共に、これら帯状体２２Ａ、２２Ｂの表面に、腕時計５０のバンド部５２、５３を挿入可能なバンドホルダ２５Ａ、２５Ｂを設け、このバンドホルダ２５Ａ、２５Ｂに挿入したバンド部５２、５３と一体に帯状体２２Ａ、２２Ｂを装着者のリスト部に締め付け可能にしたので、グローブ１０及び腕時計５０が装着者のリスト部を締め付けた状態で一体に装着され、グローブ１０及び腕時計５０の手首への装着性が向上する。このため、腕時計５０のずれが防止され、これにより、腕時計５０の脱落を防止することができ、かつ、腕時計５０の視認性の向上に寄与することができる。
しかも、上記帯状体２２Ａ、２２Ｂが面ファスナー３０、３１によって着脱自在に構成されるので、装着者のリスト部の大きさに合わせて帯状体２２Ａ、２２Ｂをリスト部に締め付け調整することができ、グローブ１０及び腕時計５０の手首への装着性が向上する。
【００１８】
また、本構成では、バンドホルダ２５Ａ、２５Ｂを伸縮性を有する布地２３Ａ、２３Ｂで形成したので、バンド部５２、５３の形状に合わせて布地２３Ａ及び２３Ｂが伸縮し、様々な形状のバンド部５２、５３を備えた腕時計５０をグローブ１０に装着することができる。
また、上記バンドホルダ２５Ａ及び２５Ｂには、バンド挿入口ＥＮに加えて、挿入されたバンド部５２、５３の先端が通過可能なバンド出口ＥＸを設けているので、長いバンド部５２、５３の腕時計５０であってもバンド部５２、５２の先端がバンド出口ＥＸから露出し、その腕時計５０をグローブ１０に装着することができ、これらにより任意の腕時計５０を装着することができる。
【００１９】
さらに、本構成では、バンド部５２、５３を補助的に保持するドローコード４０を設けたので、腕時計５０の手首への装着性がより向上し、腕時計のずれをより防止し、脱落を防ぐことができる。
また、本構成では、グローブ本体１１にアンダーフラップ４５を設け、このアンダーフラップ４５を装着者のリスト部を締め付けた帯状体２２Ａ、２２Ｂに着脱自在としたので、帯状体２２Ａ及び２２Ｂの外れを防止してグローブ１０及び腕時計５０の手首への装着性がより一層向上すると共に、リスト部の露出を少なくしてリスト部の保護を図ることができる。
これらにより、本構成では、従来のカフス部に鞘部を設けて腕時計を装着可能にしたグローブに比して、グローブ１０と腕時計５０とが装着者の手やリスト部に確実に保持され、装着者の手やリスト部との一体感を向上させることができると共に、従来のフラップに設けた窓面を介して腕時計を視認可能にしたものに比して、腕時計５０の時計部５１が外部に露出するだけでなく、腕時計５０の手首への装着性が向上するので、腕時計５０の視認性の向上に寄与することができる。
【００２０】
以上、一実施形態に基づいて本発明を説明したが、本発明は、これに限定されるものでないことは明らかである。例えば、上記実施形態では、ドローコード４０が腕時計５０のバンド部５２、５３を保持する場合を説明したが、これに限らず、腕時計５０の時計部５１を保持するように構成してもよい。また、ドローコード４０に限らず、バンド部や時計部を保持可能な脱落防止手段を広く適用することが可能である。
また、上記実施形態では、面ファスナーを使用する場合について述べたが、これに限らず、孔留め式等の他の着脱手段を適用してもよい。また、上記実施形態では、本発明をライダー用グローブに適用する場合について説明したが、これに限らず、スキー用や作業用のグローブ等に広く適用することが可能である。
【図面の簡単な説明】
【００２１】
【図１】本実施形態に係るグローブを腕時計と共に示す斜視図である。
【図２】グローブに腕時計を装着した状態を示す斜視図である。
【図３】グローブに腕時計を装着した状態を示す側面図である。
【符号の説明】
【００２２】
１０  グローブ
１１  グローブ本体
２０  時計装着部
２２Ａ、２２Ｂ  帯状体
２５Ａ、２５Ｂ  バンドホルダ（鞘部）
３０、３１、４６  面ファスナー（着脱手段）
３６  補強部材
４０  ドローコード（保持手段）
４５  アンダーフラップ
５０  腕時計
５１  時計部
５２、５３  バンド部
【図１】
2007217819.tif 000003
【図２】
2007217819.tif 000004
【図３】
2007217819.tif 000005